(57)【要約】【課題】  通信経路の切替制御を簡単にすることを目的とする。【解決手段】本発明にかかる光伝送装置は、切り替え可能な複数の通信経路を有するネットワークを構成し、ＴＣＭ（Ｔａｎｄｅｍ  Ｃｏｎｎｅｃｔｉｏｎ  Ｍｏｎｉｔｏｒｉｎｇ）が設定された区間に配置され、ＯＴＮ（Ｏｐｔｉｃａｌ  Ｔｒａｎｓｐｏｒｔ  Ｎｅｔｗｏｒｋ）フレームのＯＤＵ（Ｏｐｔｉｃａｌ  Ｄａｔａ  Ｕｎｉｔ）オーバヘッドにおけるＴＣＭ領域内のＴＴＩ（Ｔｒａｉｌ  Ｔｒａｃｅ  Ｉｄｅｎｔｉｆｉｅｒ）値と、前記通信経路を切り替えた後のデータ送信先とを対応付けて格納するテーブルと、前記通信経路を切り替える時に、前記テーブルに格納された、切り替え先の前記通信経路に対応する前記ＴＴＩ値と前記データ送信先とに基づき、該ＴＴＩ値を格納したデータを該データ送信先に送信する送信部と、を備える。【選択図】  図２
2012165110.tif 000002
【特許請求の範囲】
【請求項１】
切り替え可能な複数の通信経路を有するネットワークを構成し、ＴＣＭ（Ｔａｎｄｅｍ  Ｃｏｎｎｅｃｔｉｏｎ  Ｍｏｎｉｔｏｒｉｎｇ）が設定された区間に配置される光伝送装置であって、
ＯＴＮ（Ｏｐｔｉｃａｌ  Ｔｒａｎｓｐｏｒｔ  Ｎｅｔｗｏｒｋ）フレームのＯＤＵ（Ｏｐｔｉｃａｌ  Ｄａｔａ  Ｕｎｉｔ）オーバヘッドにおけるＴＣＭ領域内のＴＴＩ（Ｔｒａｉｌ  Ｔｒａｃｅ  Ｉｄｅｎｔｉｆｉｅｒ）値と、前記通信経路を切り替えた後のデータ送信先とを対応付けて格納するテーブルと、
前記通信経路を切り替える時に、前記テーブルに格納された、切り替え先の前記通信経路に対応する前記ＴＴＩ値と前記データ送信先とに基づき、該ＴＴＩ値を格納したデータを該データ送信先に送信する送信部と、を備えることを特徴とする光伝送装置。
【請求項２】
前記テーブルは、切り替え先となる前記通信経路にそれぞれ対応する異なる複数の前記ＴＴＩ値と、前記通信経路を切り替えた後のデータ送信先とを対応付けて格納することを特徴とする請求項１に記載の光伝送装置。
【請求項３】
切り替え可能な複数の通信経路を有するネットワークを構成し、ＴＣＭ（Ｔａｎｄｅｍ  Ｃｏｎｎｅｃｔｉｏｎ  Ｍｏｎｉｔｏｒｉｎｇ）が設定された区間に配置される光伝送装置であって、
データを受信する受信部と、
ＯＴＮ（Ｏｐｔｉｃａｌ  Ｔｒａｎｓｐｏｒｔ  Ｎｅｔｗｏｒｋ）フレームのＯＤＵ（Ｏｐｔｉｃａｌ  Ｄａｔａ  Ｕｎｉｔ）オーバヘッドにおけるＴＣＭ領域内のＴＴＩ（Ｔｒａｉｌ  Ｔｒａｃｅ  Ｉｄｅｎｔｉｆｉｅｒ）値と、受信データの転送先となるデータ送信先とを対応付けて格納するテーブルと、
前記受信データから抽出した前記ＴＴＩ値が、前記テーブルに格納された前記ＴＴＩ値と一致する場合に、前記テーブルにおいて該ＴＴＩ値に対応付けられた前記データ送信先に前記受信データを転送する送信部と、を備えることを特徴とする光伝送装置。
【請求項４】
前記テーブルは、切り替え先となる前記通信経路にそれぞれ対応する異なる複数の前記ＴＴＩ値と、前記受信データの転送先となるデータ送信先とを対応付けて格納することを特徴とする請求項３に記載の光伝送装置。
【請求項５】
請求項３または４に記載の光伝送装置は、
同一レベルの前記ＴＣＭが設定された区間の端点である場合に、前記テーブルに格納された前記ＴＴＩ値と、前記受信データから抽出される前記ＴＴＩ値とを照合して、前記区間における通信経路の誤接続を監視することを特徴とする光伝送装置。
【請求項６】
請求項３乃至５のいずれか１つに記載の光伝送装置は、
前記受信データから抽出される前記ＴＴＩ値が前記テーブルに格納された前記ＴＴＩ値以外の値である場合、または、前記受信データの前記ＴＣＭ領域に、前記受信データの転送先を決定する設定を解除する値が格納されている場合には、該受信データを転送しないことを特徴とする光伝送装置。
【請求項７】
前記通信経路に切り替える時に、
切り替えた後の前記通信経路上にある下流側の光伝送装置において、前記光伝送装置の前記受信データの転送先を決定する設定が、前記通信経路を切り替える前の設定から前記通信経路を切り替えた後の設定に更新されるまでの間に、前記通信経路を切り替える前の設定を解除する値を前記ＴＣＭ領域に格納したデータを前記下流側の光伝送装置に送信することを特徴とする請求項１乃至６のいずれか１つに記載の光伝送装置。
【請求項８】
請求項１乃至７に記載の光伝送装置の前記テーブルに対して、前記ＴＴＩ値および前記データ送信先を登録する管理装置。
【請求項９】
請求項１に記載の光伝送装置を送信端とし、請求項３に記載の光伝送装置を中継点または受信端とする光伝送システム。
【発明の詳細な説明】
【技術分野】
【０００１】
この発明は、ＯＴＮ（Ｏｐｔｉｃａｌ  Ｔｒａｎｓｐｏｒｔ  Ｎｅｔｗｏｒｋ）インタフェースを用いる光伝送システムに関する。
【背景技術】
【０００２】
ＩＴＵ−Ｔ勧告Ｇ．７０９“Ｉｎｔｅｒｆａｃｅｓ  ｆｏｒ  ｔｈｅ  ｏｐｔｉｃａｌ  ｔｒａｎｓｐｏｒｔ  ｎｅｔｗｏｒｋ”ではＯＴＮインタフェースを用いる光伝送システムの規格を定めている。ＯＴＮでは、ＷＤＭ（Ｗａｖｅｌｅｎｇｔｈ  Ｄｉｖｉｓｉｏｎ  Ｍｕｌｔｉｐｌｅｘｉｎｇ）方式およびＴＤＭ（Ｔｉｍｅ  Ｄｉｖｉｓｉｏｎ  Ｍｕｌｔｉｐｌｅｘｉｎｇ）方式により階層的に多重されたデータが、隣接する光伝送装置に転送される。ＯＤＵ（Ｏｐｔｉｃａｌ  Ｄａｔａ  Ｕｎｉｔ）の階層では、複数の光伝送装置を経由するコネクションを複数に区切り、区切られた区間毎に警報、性能監視を可能とするＴＣＭ（Ｔａｎｄｅｍ  Ｃｏｎｎｅｃｔｉｏｎ  Ｍｏｎｉｔｏｒｉｎｇ）が規定されている。
【０００３】
図１２はＧ．７０９規格上のＯＤＵオーバヘッドの形式を示す図である。また、図１３はＧ．７０９規格上のＯＤＵオーバヘッド内のＴＣＭｉ（ｉ＝１〜６）領域の構成を示す図である。図１２に示すようにＯＤＵオーバヘッドにはＴＣＭ１からＴＣＭ６までの監視制御領域が設けられている。このため、隣接する光伝送装置間のリンク上に、最大６つのレベルで並列して監視制御情報を転送し、警報、性能などの監視をすることができる。
【０００４】
従来の技術では、ネットワークを複数の区間（サブネットワーク）に区切り、通信経路の切り替えを行う区間の障害や輻輳などの発生を監視するためにＴＣＭを用いる。ＴＣＭコネクションが設定された区間（以下、ＴＣＭ区間とする。）の端点となる光伝送装置で障害を検出すると、障害が発生していない通信経路への切り替えを実施する。通信経路の切替制御は、各光伝送装置において光スイッチなどによって転送先を切り替える動作が必要となるため、ＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）のようなパス制御手段を用い、切り替え対象となる通信経路上にある各光伝送装置の転送状態を変更する（例えば、下記特許文献１参照）。
【先行技術文献】
【特許文献】
【０００５】
【特許文献１】特開２００７−３６４１２号公報
【発明の概要】
【発明が解決しようとする課題】
【０００６】
しかしながら、特許文献１に記載の従来の技術では、ＴＣＭ区間を管理する通信事業者や組織などがＴＣＭ区間によって異なる場合に、あるＴＣＭ区間を管理するための監視制御情報が、他の通信事業者や組織によって管理されている別のＴＣＭ区間を経由している間に廃棄または誤処理されるという問題があった。このため、ＴＣＭ区間を管理する通信事業者や組織間で、共通した制御通信手段を持つか、異なる制御通信手段であっても混在可能にする取り決めをするか、または、制御通信用に別途通信経路を設けるなどの対応が必要になり、通信経路の切替制御が複雑になるという問題があった。
【０００７】
本発明は、上記課題を解決するためになされたものであり、ネットワーク内で障害や輻輳が発生した場合に、光伝送装置間の通信経路を切り替える制御パラメータとしてＯＤＵオーバヘッドのＴＣＭ領域のＴＴＩ（Ｔｒａｉｌ  Ｔｒａｃｅ  Ｉｄｅｎｔｉｆｉｅｒ）値を活用することによって、通信経路の切替制御を簡単にすることを目的とする。
【課題を解決するための手段】
【０００８】
本発明にかかる光伝送装置は、切り替え可能な複数の通信経路を有するネットワークを構成し、ＴＣＭが設定された区間に配置される光伝送装置であって、ＯＴＮフレームのＯＤＵオーバヘッドにおけるＴＣＭ領域内のＴＴＩ値と、前記通信経路を切り替えた後のデータ送信先とを対応付けて格納するテーブルと、前記通信経路を切り替える時に、前記テーブルに格納された、切り替え先の前記通信経路に対応する前記ＴＴＩ値と前記データ送信先とに基づき、該ＴＴＩ値を格納したデータを該データ送信先に送信する送信部と、を備えることを特徴とする。
【発明の効果】
【０００９】
本発明によれば、通信経路の切替制御を簡単にすることができる。
【図面の簡単な説明】
【００１０】
【図１】この発明の実施の形態１にかかるネットワークの構成例を示す図である。
【図２】この発明の実施の形態１にかかる光伝送装置の構成例を示す図である。
【図３】この発明の実施の形態１にかかる光伝送装置２の通信経路切替前後のスイッチ設定テーブル、ＴＴＩ受信参照テーブル、パス切替制御テーブルの一例を示す図である。
【図４】この発明の実施の形態１にかかる光伝送装置３の通信経路切替前後のスイッチ設定テーブル、ＴＴＩ受信参照テーブル、パス切替制御テーブルの一例を示す図である。
【図５】この発明の実施の形態１にかかる光伝送装置４の通信経路切替前後のスイッチ設定テーブル、ＴＴＩ受信参照テーブル、パス切替制御テーブルの一例を示す図である。
【図６】この発明の実施の形態１にかかる光伝送装置５の通信経路切替前後のスイッチ設定テーブル、ＴＴＩ受信参照テーブル、パス切替制御テーブルの一例を示す図である。
【図７】この発明の実施の形態１にかかるＴＣＭ区間の送信端となる光伝送装置において、通信経路を切り替える処理の一例を示すフローチャートである。
【図８】この発明の実施の形態１にかかるＴＣＭ区間の中継点または受信端となる光伝送装置において、通信経路を切り替える処理の一例を示すフローチャートである。
【図９】この発明の実施の形態２にかかるネットワークの構成例を示す図である。
【図１０】この発明の実施の形態２にかかる光伝送装置３５のＴＴＩ受信参照テーブルの一例を示す図である。
【図１１】この発明の実施の形態３にかかるネットワークの構成例を示す図である。
【図１２】Ｇ．７０９規格上のＯＤＵオーバヘッドの形式を示す図である。
【図１３】Ｇ．７０９規格上のＯＤＵオーバヘッド内のＴＣＭｉ（ｉ＝１〜６）領域の構成を示す図である。
【発明を実施するための形態】
【００１１】
以下に、本発明の実施の形態を図面に基づいて詳細に説明する。なお、以下に説明する実施の形態は、それぞれが本発明を具体化する際の一形態であって、本発明をその範囲内に限定するためのものではない。
【００１２】
実施の形態１．
図１は、本実施の形態にかかるネットワークの構成例を示す図である。図示するように、本実施の形態にかかるネットワークでは、光伝送装置１〜６を介してクライアント装置７、８が接続される。クライアント装置と光伝送装置または光伝送装置間を接続するインタフェース２１〜２９は、例えば、送受用の一対の光ファイバなどによって実現される。クライアント装置７とクライアント装置８との間でデータを送受信する通信経路は、ネットワークで発生する障害や輻輳を避けるように設定される。管理装置１１は監視制御網１２を介して光伝送装置１〜６を監視する。なお、図１では一例として、クライアント装置７からクライアント装置８へのデータ送信の場合を示している。
【００１３】
図２は、本実施の形態にかかる光伝送装置の構成例を示す図である。図示するように、本実施の形態にかかる光伝送装置は、パス制御部１００と、ラインインタフェース部２００、２１０、２２０と、スイッチ部３００とを備える。なお、図２の各部の構成は実施の形態の説明のために一例として示したものであり、各部の実装形態はこの限りではない。例えば、各部の機能が共通するハードウェアによって実現されることや、各部の機能が複数のハードウェアによって実現されるなどの変形を許容する。以降の実施の形態における光伝送装置も同様の構成とする。
【００１４】
パス制御部１００は、スイッチ設定テーブル１０１と、ＴＴＩ受信参照テーブル１０２と、パス切替制御テーブル１０３を有する。これらのテーブルの内容は管理装置１１の要求に基づいて変更される。図１における管理装置１１から各光伝送装置への矢印はテーブル内容を変更する要求を示す。
【００１５】
スイッチ設定テーブル１０１は、現在のスイッチ部３００のスイッチ設定内容を格納する。ＴＴＩ受信参照テーブル１０２は、ラインインタフェース部２００にて受信したＯＴＮフレームのＯＤＵオーバヘッドにおけるＴＣＭ領域内のＴＴＩ値に応じて、スイッチ設定テーブル１０１の内容を変更するために使用される。また、同テーブルには、光伝送装置がＴＣＭ区間の受信端であるかが登録されており、この情報に基づきＴＣＭ区間の信号伝送の監視を開始する。パス切替制御テーブル１０３は、障害などの検出を契機として、ＴＣＭ区間の端点で現在使用している通信経路から他の通信経路への切り替えを実施する際に、切り替え先の通信経路のスイッチ設定内容を格納する。
【００１６】
ラインインタフェース部２００は、ＴＣＭ  ＴＴＩ参照部２０１と、ＯＴＮフレーム処理部２０２と、バッファ２０３とを有する。また、ラインインタフェース部２１０は、ＴＣＭ  ＴＴＩ設定部２１１と、ＯＴＮフレーム生成部２１２とを有する。ラインインタフェース部２２０はラインインタフェース部２１０と同様の構成である。
【００１７】
ラインインタフェース部２００、２１０、２２０はそれぞれ隣接する光伝送装置とデータを送受する。図２では説明を簡単にするために、ラインインタフェース部２００は、隣接する光伝送装置から出力されたデータを受信する構成を示し、ラインインタフェース部２１０は隣接する光伝送装置にデータを送信する構成を示している。ラインインタフェース部２００、２１０、２２０は隣接する光伝送装置から出力されるデータを受信する構成と隣接する光伝送装置に送信する構成の両方を備えていてもよい。なお、本実施の形態において、ラインインタフェース部２００は受信部の一例である。ラインインタフェース部２１０は送信部の一例である。
【００１８】
次に、光伝送装置の動作について説明する。ラインインタフェース部２００のＯＴＮフレーム処理部２０２は、データ列に対してフレーム同期をとりＯＴＮフレームを取り出す。ＴＣＭ  ＴＴＩ参照部２０１はＯＴＮフレーム中のＴＣＭ領域のＴＴＩ値を参照する。ここで参照されたＴＴＩ値がＴＴＩ受信参照テーブル１０２に格納されたＴＴＩ値と一致していれば、一致したＴＴＩ値と対応付けられているデータ送信先に受信データが転送される。バッファ２０３はＯＴＮフレームを一時的に保持する。上記参照により、ＴＴＩ値が一致していれば、バッファ２０３からスイッチ部３００にデータが送られる。
【００１９】
スイッチ部３００は、スイッチ設定テーブル１０１の内容に基づき、ラインインタフェース部２００にて受信したデータをラインインタフェース部２１０またはラインインタフェース部２２０に転送する。
【００２０】
ラインインタフェース部２１０、２２０では、スイッチ部３００から転送されたデータに対して、ＴＣＭ  ＴＴＩ設定部２１１がＴＴＩ値の設定を行い、ＯＴＮフレーム生成部２１２がそのデータからＯＴＮフレームを生成する。生成されたＯＴＮフレームは外部へ出力される。
【００２１】
次に、図１に示すネットワークの構成例において、通信経路を切り替える時の光伝送装置の動作について説明する。この説明では、光伝送装置１、光伝送装置２、光伝送装置３、光伝送装置４、光伝送装置６を順に通る通信経路から、光伝送装置１、光伝送装置２、光伝送装置５、光伝送装置４、光伝送装置６を順に通る通信経路に切り替える場合を一例として説明する。
【００２２】
管理装置１１は、光伝送装置２〜５のパス制御部１００の各テーブルの内容を予め登録する。例えば、光伝送装置２〜５の各テーブルには後述する図３〜６の上段（ａ）に示す通信経路切り替え前の内容となるように予め設定する。なお、各テーブルの内容は管理装置１１の要求に応じて、信号伝送状況に対応するよう適時更新することができる。光伝送装置２〜５のスイッチ部３００は、スイッチ設定テーブル１０１の内容に基づき、データを転送する。
【００２３】
図３は、本実施の形態にかかる光伝送装置２の通信経路切替前後のスイッチ設定テーブル、ＴＴＩ受信参照テーブル、パス切替制御テーブルの一例を示す図である。図３の上段（ａ）は通信経路が切り替わる前、下段（ｂ）は通信経路が切り替わった後の各テーブルの内容を示す。図４、図５、図６についても同様とする。
【００２４】
スイッチ設定テーブル１０１は、受信インタフェース番号、受信スロット番号、送信先インタフェース番号、送信先スロット番号を格納する。受信インタフェース番号はデータを受信するインタフェースの番号を示し、送信先インタフェース番号は、データの送信先となるインタフェースの番号を示す。なお、本実施の形態では説明のため、送信先インタフェース番号、受信インタフェース番号は図１に付された符号と対応させている。受信スロット番号は、受信するデータに割り当てられるタイムスロットを示し、送信先スロット番号は、送信するデータに割り当てられるタイムスロットの番号を示す。光伝送装置２は、スイッチ設定テーブル１０１に従い、受信インタフェース番号「２２」、タイムスロット番号「７」によって特定される受信元から受信したデータを、送信先インタフェース番号「２３」、タイムスロット番号「６」によって特定される送信先に送信する。すなわち、通信経路が切り替わる前では光伝送装置２は、光伝送装置１からデータを受信し、光伝送装置３にデータを転送する。
【００２５】
パス切替制御テーブル１０３はＴＣＭレベル、送信ＴＴＩ値、送信先インタフェース番号、送信先スロット番号、切替先インタフェース番号、切替先スロット番号を格納する。ネットワークの障害や輻輳の発生などの信号伝送状況に応じて通信経路を切り替える時、図３の下段（ｂ）に示すように、スイッチ設定テーブル１０１内の送信先インタフェースと送信先スロット番号は、切替先インタフェース番号と切替先スロット番号によって書き換えられる。切替先インタフェース番号は通信経路を切り替えた後のデータ送信先となるインタフェースの番号であり、切替先スロット番号は通信経路を切り替えた後に送信するデータに割り当てられるタイムスロット番号である。切替先インタフェース番号、切替先スロット番号はＴＣＭレベル、送信ＴＴＩ値に対応付けられてパス切替制御テーブル１０３に格納されている。本実施の形態では、パス切替制御テーブル１０３には切替先インタフェース番号「２４」と切替先スロット番号「８」が格納されている。光伝送装置２において、光伝送装置１から受信したデータを光伝送装置３に転送する通信経路から光伝送装置５に転送する通信経路に切り替える場合には、送信先インタフェース番号が「２３」から「２４」に、送信先スロット番号が「６」から「８」にそれぞれ書き換えられる。
【００２６】
ＴＣＭレベルと送信ＴＴＩ値は通信経路の切り替えに用いる情報である。図３に示すように、ＴＣＭレベルは「２」、送信ＴＴＩ値はＡＢ＿ＣＤ＿ＥＦである。すなわち、ＯＤＵオーバヘッドのＴＣＭ２に格納されるＴＴＩ値は文字列で表示した時にＡＢ＿ＣＤ＿ＥＦを表すビット列となる。なお、文字列ＡＢ＿ＣＤ＿ＥＦは一例として示すものであり、使用するＴＣＭレベルとそのＴＣＭ区間に対して、ユニークな値であればどのような値を用いてもよい。すなわち、ネットワークをいくつかの区間に分割して、その分割された１つの区間（サブネットワーク）に対して１つのＴＣＭレベルを使用した場合、ＴＣＭレベルに対応するＴＴＩ値はサブネットワーク毎にユニークな値となる。
【００２７】
本実施の形態では、切り替える通信経路を識別するためにＴＴＩ値がサブネットワーク上でユニークなことを前提とし、ＴＴＩ値と切り替え先となる通信経路が対応付けられている。すなわち、後段の装置がＴＴＩ値を参照した時に、ＴＴＩ値に基づいてスイッチ設定内容を書き換えることで、現状の通信経路から他の通信経路への部分的な切り替えが実現される。
【００２８】
図４は、本実施の形態にかかる光伝送装置３の通信経路切替前後のスイッチ設定テーブル、ＴＴＩ受信参照テーブル、パス切替制御テーブルの一例を示す図である。スイッチ設定テーブル１０１には、受信インタフェース番号「２３」、受信スロット番号「６」、送信先インタフェース番号「２５」、送信先スロット番号「５」が格納されている。すなわち、光伝送装置２からデータを受信し、受信したデータを光伝送装置４へ送信する内容を示す。光伝送装置２から受け取ったデータの転送先として光伝送装置４以外を指定していない場合、図示するように光伝送装置３のＴＴＩ受信参照テーブル１０２、パス切替制御テーブル１０３には何も格納していなくてもよい。
【００２９】
図５は、本実施の形態にかかる光伝送装置４の通信経路切替前後のスイッチ設定テーブル、ＴＴＩ受信参照テーブル、パス切替制御テーブルの一例を示す図である。通信経路が切り替わると、光伝送装置３からデータを受信する状態から、光伝送装置５からデータを受信する状態に切り替わる。このため、図５に示すようにスイッチ設定テーブル１０１の受信インタフェース番号は「２５」から「２７」に、受信スロット番号は「５」から「７」にそれぞれ書き換えられる。
【００３０】
ＴＴＩ受信参照テーブル１０２は、受信インタフェース番号、受信スロット番号、ＴＣＭレベル、受信ＴＴＩ値、送信先インタフェース番号、送信先スロット番号、受信端を格納する。同テーブルにおける、受信インタフェース番号と受信スロット番号、送信先インタフェース番号と送信先スロット番号はそれぞれ、通信経路を切り替えた後のデータの送信先または受信元に対応するインタフェースの番号と、そのデータに割り当てられたタイムスロットの番号である。受信ＴＴＩ値はＴＣＭ区間で受信データから抽出されると期待されるＴＴＩ値である。図５に示すように、ＴＴＩ受信参照テーブル１０２の内容は、受信インタフェース番号「２７」、受信スロット番号「７」によって特定される受信元からデータを受信し、受信データから抽出したＯＤＵオーバヘッドのＴＣＭレベルが「２」、ＴＴＩ値がＡＢ＿ＣＤ＿ＥＦである時、送信先インタフェース番号「２８」、送信先スロット番号「１」によって特定される送信先に受信データを転送することを示す。また、光伝送装置がＴＣＭ区間の受信端であれば「１」が格納され、受信端でなければ「０」が格納される。光伝送装置４はＴＣＭレベル「２」の区間の受信端であるので値「１」が格納されている。
【００３１】
図６は、本実施の形態にかかる光伝送装置５の通信経路切替前後のスイッチ設定テーブル、ＴＴＩ受信参照テーブル、パス切替制御テーブルの一例を示す図である。図６の上段（ａ）に示すように、ＴＴＩ受信参照テーブル１０２の内容は、受信インタフェース番号「２４」、受信スロット番号「８」によって特定される受信元からデータを受信し、受信データから抽出したＯＴＮフレームのＯＤＵオーバヘッドにおけるＴＣＭレベルが２、ＴＴＩ値がＡＢ＿ＣＤ＿ＥＦである時、送信先インタフェース番号「２７」、送信先スロット番号「７」によって特定される送信先に転送することを示す。通信経路切り替え前のスイッチ設定テーブル１０１は、図６の上段（ａ）に示すように、データの送受をしないので空の内容となっている。通信経路切り替え後のスイッチ設定テーブル１０１は、図６の下段（ｂ）に示すように、受信インタフェース番号「２４」、受信スロット番号「８」、送信先インタフェース番号「２７」、送信先スロット番号「７」が格納されており、光伝送装置２からデータを受信し、光伝送装置４にデータを転送する内容を示す。
【００３２】
次に、ＴＣＭ区間内で障害や輻輳などが発生したときの光伝送装置の各動作について説明する。本実施の形態においては、光伝送装置３と光伝送装置４の間の伝送路で障害が発生し、光伝送装置４にて光入力断を検出したときの動作を一例として説明する。光伝送装置４は光入力断を検出すると図１３に示すＴＣＭ２（ｉ＝２）のＢＤＩ（Ｂａｃｋｗａｒｄ  Ｄｅｆｅｃｔ  Ｉｎｄｉｃａｔｉｏｎ）を用いて、光伝送装置２にＴＣＭ区間内に障害が発生したことを認識させる。
【００３３】
光伝送装置２はＴＣＭ区間における通信経路の切替制御情報（送信ＴＴＩ値）の送信端である。次に、光伝送装置２において、通信経路を切り替える処理について説明する。図７は、本実施の形態にかかるＴＣＭ区間の送信端である光伝送装置において、通信経路を切り替える処理の一例を示すフローチャートである。
【００３４】
上記により、光伝送装置２はネットワーク内で光入力断などの通信経路の障害を検出する（ステップＳＴ７１）。光伝送装置２が通信経路の障害を検出すると、光伝送装置２では、パス切替制御テーブル１０３の切替先インタフェース番号と切替先スロット番号を参照し（ステップＳＴ７２）、切替先インタフェース番号と切替先スロット番号を取得する（ステップＳＴ７３）。次に、送信するデータに、パス切替制御テーブル１０３に登録されている送信ＴＴＩ値を格納し、切替先インタフェース番号によって特定されるデータ送信先にデータから生成したＯＴＮフレームの送信を開始する（ステップＳＴ７４）。このとき、切替先インタフェース番号と切替先スロット番号によって、送信先インタフェース番号と送信先スロット番号を書き換えてスイッチ設定テーブル１０１の内容が更新される（ステップＳＴ７５）。なお、ステップＳＴ７４とステップＳＴ７５は並行して行われるものであってもよく、または、図７とは順序が逆になっていてもよい。
【００３５】
この結果、図３の下段（ｂ）に示すように、スイッチ設定テーブル１０１の内容は、送信先インタフェース番号「２４」、送信先スロット番号「８」に書き換わり、データの転送先が、光伝送装置３から光伝送装置５に切り替わる。また、ＯＤＵオーバヘッドのＴＣＭ２のＴＴＩ値はＡＢ＿ＣＤ＿ＥＦとなる。
【００３６】
次に、ＴＣＭ区間の中継点または受信端である光伝送装置において、通信経路を切り替える処理を説明する。本実施の形態ではＴＣＭ区間の中継点となるのは光伝送装置５、受信端となるのは光伝送装置４である。図８は、本実施の形態にかかるＴＣＭ区間の中継点または受信端となる光伝送装置において、通信経路を切り替える処理の一例を示すフローチャートである。
【００３７】
光伝送装置は、受信データから取り出したＯＴＮフレームのＯＤＵオーバヘッドにおけるＴＣＭ領域のＴＴＩ値を受信する（ステップＳＴ８１）。次に、ＴＴＩ値が解除を示す予め決めた固定値（０ｘＦＦＦＦなど）であるか、または、ＴＣＭ領域内のＳＴＡＴ値（ＰＭ  ｓｔａｔｕｓ）が、例えば、ＯＣＩ（Ｏｐｅｎ  Ｃｏｎｎｅｃｔｉｏｎ  Ｉｎｄｉｃａｔｉｏｎ）「１１０」などの解除を示す値であるかを判定する（ＳＴ８１１）。これらが解除を示している場合には、データを受信した受信元に対応する受信インタフェース番号および受信スロット番号についてスイッチ設定を解除し（ステップＳＴ８１２）、処理を終了する。このとき受け取ったデータは他の光伝送装置に転送されない。一方、これらが解除を示していない場合には、ＴＴＩ受信参照テーブル１０２を参照する（ステップＳＴ８２）。次に、光伝送装置は、受信データから抽出したＴＣＭレベルとＴＴＩ値と一致するＴＣＭレベルとＴＴＩ値がＴＴＩ受信参照テーブル１０２に登録されているか判断する（ステップＳＴ８２１）。一致するＴＣＭレベルとＴＴＩ値が登録されていない場合には、受信したデータは廃棄されて（ステップ８２２）、処理を終了する。一致するＴＣＭレベルとＴＴＩ値が登録されている場合には、ＴＴＩ受信参照テーブル１０２から受信インタフェース番号、受信スロット番号、送信先インタフェース番号、送信先スロット番号を取得する（ステップＳＴ８３）。次に、光伝送装置は、取得したデータ送信先に対して、このデータから生成したＯＴＮフレームの送信を開始する（ステップＳＴ８４）。このとき、取得された受信インタフェース番号、受信スロット番号、送信先インタフェース番号、送信先スロット番号によってスイッチ設定テーブル１０１の内容が更新される（ステップＳＴ８５）。また、光伝送装置は自身がＴＣＭ区間の受信端であるかをＴＴＩ受信参照テーブル１０２から判定する（ステップＳＴ８３１）。ＴＴＩ受信参照テーブル１０２の受信端の値が「１」である場合には、受信したＴＴＩ値を切り替えた後の通信経路において受信すると期待される受信期待ＴＴＩ値として、そのＴＣＭ区間の通信経路の誤接続の監視を開始する（ステップＳＴ８６）。なお、ステップＳＴ８４とステップＳＴ８５は並行して行われるものであってもよく、または、図８とは順序が逆になっていてもよい。
【００３８】
上記の動作により、光伝送装置５はデータからＴＴＩ値を受信し、スイッチ設定テーブル１０１の更新を行う。図６の下段（ｂ）に示すように、スイッチ設定テーブル１０１の内容は、受信インタフェース番号「２４」、受信スロット番号「８」、送信先インタフェース番号「２７」、送信先スロット番号「７」に書き換わり、光伝送装置２から受け取ったデータを光伝送装置４へと転送する。また、送信するデータのＯＤＵオーバヘッド内のＴＣＭ２のＴＴＩ値はＡＢ＿ＣＤ＿ＥＦとなる。
【００３９】
同様に、光伝送装置４はデータからＴＴＩ値を受信し、スイッチ設定テーブル１０１の更新を行う。図５の下段（ｂ）に示すように受信インタフェース番号が「２７」、受信スロット番号「７」に書き変わり、光伝送装置５からデータを受信するようにスイッチ設定テーブル１０１が更新される。さらに、光伝送装置４は受信端であるため、受信ＴＴＩ値を切り替え後の通信経路において受信データから抽出されると期待される受信期待ＴＴＩ値として設定する。通信経路切り替え後に受信したデータから抽出したＴＴＩ値と受信期待ＴＴＩ値を照合し、一致していなければ通信経路に誤接続が発生したと判断する。このように、Ｇ．７０９規格に基づく受信ＴＴＩ値と比較した誤接続検出や、ＯＤＵオーバヘッドのＴＣＭ内のその他の領域を使って障害の通知と検出を行う。
【００４０】
上記により、障害発生を契機として、光伝送装置２、光伝送装置３、光伝送装置４を順に経由する通信経路は、光伝送装置２、光伝送装置５、光伝送装置４を順に経由する通信経路に切り替わる。
【００４１】
以上のように、ネットワーク内で障害や輻輳が発生した場合に、通信経路を切り替える制御パラメータとしてＯＴＮフレームのＯＤＵオーバヘッドにおけるＴＣＭ領域のＴＴＩ値を用い、ＴＴＩ値に対応付けられたデータ送信先をテーブルに登録しておき、ＴＴＩ値に基づいて通信経路を切り替える構成とした。ＴＴＩ値はＴＣＭ区間毎にユニークな値であり、ＴＣＭ区間毎に独立した制御通信をすることが可能となる。すなわち、あるＴＣＭレベルのＴＴＩ値は他のＴＣＭレベルが設定された区間では参照されないため、監視制御情報が他のＴＣＭ区間を経由している間に廃棄されるなどの制御通信の妨げを受けない。また、ある区間に複数のＴＣＭレベルが重複して設定されていたとしても、ＴＣＭレベル毎にデータ転送先となる光伝送装置やインタフェース番号などの識別情報を定めることができ、装置の識別情報などの制御情報の仕様を統一的にする制限がなくなる。このため、ＴＣＭ区間を管理する通信事業者や組織などがＴＣＭ区間によって異なることがあったとしても、他の通信事業者や組織などの制御通信を妨げず、他の通信事業者や組織などと制御情報の仕様を統一的にする取り決めも必要ない。これにより、通信経路の切替制御を簡単にすることができる。さらに、ＴＴＩ値の読み取りとテーブルの照合によってＴＴＩ値に対応付けられたデータ転送先が特定できるため、障害や輻輳などの発生といった信号伝送状況に応じて高速な通信経路の切り替えを実現することが可能となる。またさらに、通信経路の切り替え後に、ＴＴＩ情報をそのまま通信経路の誤接続の監視に使用し、Ｇ．７０９規格に基づくＴＣＭの監視を自動的に継続することができるため、新たなＴＣＭの設定が不要であり、切り替え後の運用を簡単にすることができる。
【００４２】
実施の形態２．
実施の形態１では、ＴＴＩ受信参照テーブル１０２、パス切替制御テーブル１０３に登録される内容は１つのＴＣＭレベルに関するものであったが、本実施の形態では複数登録するものとしている。
【００４３】
図９は本実施の形態にかかるネットワークの構成例を示す図である。光伝送装置３２と光伝送装置３４を端点とする通信経路には、光伝送装置３２、光伝送装置３３、光伝送装置３４を順に経由する通信経路と、インタフェース４３にて障害が発生した場合に、光伝送装置３２、光伝送装置３５、光伝送装置３３、光伝送装置３４を順に経由する通信経路と、インタフェース４４で障害が発生した場合に、光伝送装置３２、光伝送装置３５、光伝送装置３６、光伝送装置３４を順に経由する通信経路と、が存在する。
【００４４】
このような通信経路において、図示するように、光伝送装置３２、光伝送装置３５、光伝送装置３６、光伝送装置３４の通信経路にＴＣＭ１のコネクションを設定し、さらに、光伝送装置３２、光伝送装置３５、光伝送装置３３の通信経路にＴＣＭ２のコネクションを設定する。光伝送装置３２のパス切替制御テーブル１０３にはＴＣＭレベルが「１」と「２」についてユニークなＴＴＩ値が設定され、またそのＴＴＩ値毎に対応付けられた通信経路を切り替えた後のデータ送信先の内容が登録される。これによって、光伝送装置３２がインタフェース４３で障害が発生したと認識した場合には、ＴＣＭ２の送信ＴＴＩ値がＴＣＭ  ＴＴＩ領域に格納され、光伝送装置３２、光伝送装置３５、光伝送装置３３の順の通信経路への切り替えがなされる。また、光伝送装置３２がインタフェース４４で障害が発生したと認識した場合には、ＴＣＭ１の送信ＴＴＩ値がＴＣＭ  ＴＴＩ領域に格納され、光伝送装置３２、光伝送装置３５、光伝送装置３６、光伝送装置３４の順の通信経路への切り替えがなされる。
【００４５】
光伝送装置３２からデータを受信した光伝送装置３５では、データから抽出したＴＴＩ値に基づいて通信経路を切り替える。図１０は、本実施の形態にかかる光伝送装置３５のＴＴＩ受信参照テーブルの一例を示す図である。図示するように、受信インタフェース番号「４７」、受信スロット番号「７」は共通している。しかし、インタフェース４４に障害が発生した場合は、ＴＣＭレベル「１」、受信ＴＴＩ値はＡＢ＿ＣＤ＿ＥＦであり、インタフェース４３に障害が発生した場合は、ＴＣＭレベル「２」、受信ＴＴＩ値はＧＨ＿ＩＪ＿ＫＬである。受信ＴＴＩ値は実施の形態１と同様にＴＣＭレベルとそのＴＣＭ区間に応じてユニークな値である。光伝送装置３５は受信データから抽出したＴＴＩ値に対応する送信先インタフェース番号、送信先スロット番号で特定されるデータ送信先にデータを送信する。以上によって、ネットワークの障害や輻輳が生じるなどの信号伝送状況に応じて所望の切り替え動作を実現することができる。なお、本実施の形態ではＴＴＩ受信参照テーブル１０２、パス切替制御テーブル１０３に登録される内容は２つのＴＣＭレベルとＴＴＩ値に関するものであるが、切り替える通信経路が２つ以上ある場合は、２つ以上であってもよい。
【００４６】
実施の形態３．
通信経路の切り替えの時に、切り替え先のインタフェース、タイムスロットを使用する別の通信経路がある場合は、通信経路の誤接続が発生する場合がある。図１１は本実施の形態にかかるネットワーク構成の一例を示す図である。図示するネットワークにおいて、誤接続が発生する場合について説明する。クライアント装置６６とクライアント装置６７の間のデータ伝送のために、光伝送装置６４、光伝送装置６５を経由する低優先の通信経路が設定され、クライアント装置６８とクライアント装置６９との間のデータ伝送のために、光伝送装置６１、光伝送装置６２、光伝送装置６３を経由する高優先の通信経路が設定されている。
【００４７】
上記の高優先の通信経路において障害（例えばインタフェース７２、または、インタフェース７３）が発生し、通信経路は低優先の通信経路に切り替わるとする。この場合、光伝送装置６１、光伝送装置６４、光伝送装置６５のスイッチ設定テーブル１０１の送信先インタフェース番号と送信先スロット番号は、通信経路の切り替えに対応する変更が順次行われる。しかしながら、光伝送装置６４のスイッチ設定テーブル１０１が変更された直後の状態では、クライアント装置６８が送信するデータは、その下流側の光伝送装置６５のスイッチ設定テーブル１０１が切り替え前の設定内容から切り替え後の設定内容に変更されるまでの間、光伝送装置６１、光伝送装置６４、光伝送装置６５を経由してクライアント装置６７に転送される状態が一時的に発生する。
【００４８】
このような誤接続を回避するために、光伝送装置６４において、すでに設定済みのタイムスロットにデータを転送する場合は、ＯＴＮフレームを生成する際にＯＣＩ（ＯＤＵのＳＴＡＴ値（ＰＭ  Ｓｔａｔｕｓ）が１１０を表すビット列）などのスイッチ設定を解除する特定のパターンを挿入して送信する。このようにすると、光伝送装置６４より下流側の光伝送装置６５では、図８のステップＳＴ８１１、ＳＴ８１２の動作により、スイッチ設定が解除されるため、クライアント装置６７にデータが誤って転送されることを防止することができる。また、図８のステップＳＴ８２１の動作により、ＴＴＩ受信参照テーブル１０２に登録されていない受信ＴＴＩ値のデータは廃棄されるようにバッファ２０３を制御する。
【００４９】
以上のように、通信経路切り替えの時に、切り替え先の通信経路の上流側の光伝送装置が転送するデータに下流側の光伝送装置でのスイッチ設定を解除するパターンを挿入する構成とした。これにより、通信経路切り替えの際に起こる誤接続を防止することができる。
【符号の説明】
【００５０】
１〜６                  光伝送装置
７、８                  クライアント装置
１１                    管理装置
１２                    監視制御網
２１〜２９              インタフェース
３１〜３７              光伝送装置
３８、３９              クライアント装置
４１〜５０              インタフェース
６１〜６５              光伝送装置
６６〜６９              クライアント装置
７１〜７９              インタフェース
１００                  パス制御部
１０１                  スイッチ設定テーブル
１０２                  ＴＴＩ受信参照テーブル
１０３                  パス切替制御テーブル
２００、２１０、２２０  ラインインタフェース部
２０１                  ＴＣＭ  ＴＴＩ参照部
２０２                  ＯＴＮフレーム処理部
２０３                  バッファ
２１１                  ＴＣＭ  ＴＴＩ設定部
２１２                  ＯＴＮフレーム生成部
３００                  スイッチ部
【図１】
2012165110.tif 000003
【図２】
2012165110.tif 000004
【図３】
2012165110.tif 000005
【図４】
2012165110.tif 000006
【図５】
2012165110.tif 000007
【図６】
2012165110.tif 000008
【図７】
2012165110.tif 000009
【図８】
2012165110.tif 000010
【図９】
2012165110.tif 000011
【図１０】
2012165110.tif 000012
【図１１】
2012165110.tif 000013
【図１２】
2012165110.tif 000014
【図１３】
2012165110.tif 000015